(57)【要約】【課題】合成樹脂製成型容器のうちフランジ付きカップ状容器に取り付けられる合成樹脂製蓋体において、フランジ部分の厚みの変化、或いはフランジ部の変形に対応して、蓋体と容器本体との密着嵌合を可能とするとともに、容器の密封及び再封を行うことができ、さらに蓋体と容器本体との着脱操作が容易な合成樹脂製蓋体を提供する。【解決手段】カップ状容器本体の上端に形成された水平フランジ部の全周にわたって嵌着されるリング状枠部と、該リング状枠部にヒンジ部を介して連設され前記水平フランジ部を前記リング状枠部とで天地方向から挟着する嵌合リング状部と、該嵌合リング状部に対向するリング状枠部にヒンジ部を介して連設され前記リング状枠部内側を開閉する蓋部とを一体に成型してなることを特徴とする合成樹脂製蓋体。【選択図】        図３
2004244066.tif 000002
【特許請求の範囲】
【請求項１】
カップ状容器本体の上端に形成された水平フランジ部の全周にわたって嵌着されるリング状枠部と、該リング状枠部にヒンジ部を介して連設され前記水平フランジ部を前記リング状枠部とで天地方向から挟着する嵌合リング状部と、該嵌合リング状部に対向するリング状枠部にヒンジ部を介して連設され前記リング状枠部内側を開閉する蓋部とを一体に成型してなることを特徴とする合成樹脂製蓋体。
【請求項２】
前記リング状枠部の外周部にリング状枠垂下部が設けられ、該リング状枠垂下部の少なくとも二辺の内面側端部中央付近には嵌合凸条が突設されるとともに、前記嵌合リング状部の外周端部には前記嵌合凸条に係合する嵌合リング状部外端縁を設けたことを特徴とする請求項１記載の合成樹脂製蓋体。
【発明の詳細な説明】
【０００１】
【発明の属する技術分野】
本発明は、家庭用に使用される機会の多いウェットシート或いはその他の収納物を密閉して収納する合成樹脂製成型容器のうち、フランジ付きカップ状容器に取り付けられる合成樹脂製蓋体に関するもので、特にフランジ部の厚みに対応して取り付けることができる合成樹脂製蓋体に関する。
【０００２】
【従来の技術】
従来、合成樹脂製成型容器のうち、射出成型（インジェクション成型）或いは真空成型（バキューム成型）等による上面が開放したカップ状容器に、開放部上端の周鍔部いわゆるフランジと呼ばれ、通常では幅の狭小な水平縁部が、開放部形状を維持するため或いは密封のためのシール部として設けられており、フランジ部に嵌合する突起を内部に設けた合成樹脂成型蓋を嵌合させてなる容器が、周知の技術として一般に使用されている。またウェットティッシュのように液体で湿潤させた製品の包装容器としては、瓶状に形成された成型容器の上部に、引出し口を設け、ウェットティッシュを一枚ずつ引き出せる形式としたものも一般的である。しかしながら内容物によっては、取出し口の大きな容器が必要で、例えばアルコール入りカット綿（アルコールで湿潤させた化粧用カット綿）などには、上面が開放したカップ状容器本体に、本体フランジ部に係着されるリング状枠部と該リング状枠部にヒンジ部で開閉自在に連結された蓋部とからなる一体成型された蓋体を、係着してなる包装体が開示されている。（例えば特許文献１参照。）。
【０００３】
【特許文献１】
特開２００２−３０８３３３号公報
【０００４】
上記文献に記載されている発明に係る包装体は、前述したようにアルコール入りカット綿が多数枚積層され収容されるポリプロピレンやポリエチレン等の合成樹脂を成型してなるカップ型の容器本体と、該容器本体の上端に形成される周鍔部に接着され密封するための紙又は合成樹脂材等の単数層又は複数層の閉塞用シートと、前記周鍔部に外嵌合するように取り付けられるポリプロピレンやポリエチレン等の合成樹脂を用いて蓋部とリング状枠部とが一体成型された蓋体とからなるもので、流通段階においては、前記容器本体は前記閉塞用シートで接着密封され、かつ前記リング状枠部が外嵌合され蓋部も閉じられた状態である。使用にあたっては、前記蓋体を容器本体から外しすなわちリング状枠部の外嵌合を解除し、閉塞用シートを剥離した後、リング状枠部を再度外嵌合させることにより、蓋体を容器本体に取り付け、蓋部の開閉により継続使用に供される。
【０００５】
上記従来技術の発明に係る包装体の実施例において、容器本体の上端に形成される周鍔部はその周縁に下側に向けてわずかな垂下部が形成されるとともに、蓋部と一体成型されたリング状枠部の外壁部の内側には、部分的に又は全周にわたって突起部が形成されて、前記周鍔部の垂下部に係合されるものであるが、前述の如く、閉塞用シートを接着密封した状態で嵌合されて流通され、使用の際には閉塞用シートが剥離された状態で再度嵌合されるものであるため、閉塞用シートは僅少な厚みであるとはいえ、嵌合状態が緩むという欠点を有していた。
【０００６】
また前記従来技術の発明に係る包装体の実施例においては、周鍔部は周縁に垂下部を有するものであったが、射出成型の場合あるいは真空成型による場合においても、周鍔部に垂下部を有しない形状すなわち水平縁部のみで形成される周鍔部も一般的に使用されるものであるが、水平縁のみの周鍔部は成型時点での加熱により偏肉や変形が生じやすく、従って厚み方向に差異を生じることとなる。また、同じ周鍔部サイズすなわち容器本体上端開口部サイズをもつものであっても、内容量に応じて容量変更する場合は容器の深さを変更することとなり、真空成型による場合は合成樹脂製シート材料の厚みを違えて対応することが通常で、水平縁のみの周鍔部における厚みの差異となり、蓋体嵌合部の一定の間隙設計による嵌合では厚みの差異に対応できず、密封性が得られないという欠点があった。
【０００７】
さらに近年、洗剤や家庭用消耗材製品においては、廃棄物に係る環境問題への対応や、製品のトータルコストの節減という課題から、詰め替え容器タイプの製品が市場化され一般化している。前述のごとき包装容器においても、製品が充填された容器本体のみを詰め替え用製品として販売し、蓋体部分は繰り返し再利用されるという形式が多く用いられていることから、蓋体部分の着脱操作の容易な形態或いは構造が必要とされている。
【０００８】
【発明が解決しようとする課題】
そこで、本発明は、上記問題を解決するためになしたものであって、その目的とするところは、合成樹脂製成型容器のうちフランジ付きカップ状容器に取り付けられる合成樹脂製蓋体において、フランジ部分の厚みの変化、或いはフランジ部の変形に対応して、フランジ付きカップ状容器の密封及び再封を行うことができるとともに、着脱操作の容易な合成樹脂製蓋体を提供する。
【０００９】
【課題を解決するための手段】
上記課題を解決するため、請求項１の発明は、カップ状容器本体の上端に形成された水平フランジ部の全周にわたって嵌着されるリング状枠部と、該リング状枠部にヒンジ部を介して連設され前記水平フランジ部を前記リング状枠部とで天地方向から挟着する嵌合リング状部と、該嵌合リング状部に対向するリング状枠部にヒンジ部を介して連設され前記リング状枠部内側を開閉する蓋部とを一体に成型してなることを特徴とする合成樹脂製蓋体であって、容器本体の水平フランジ部分の厚みの変化、或いはフランジ部の変形に対応して、蓋体と容器本体との密着嵌合を可能とするとともに、容器の密封及び再封を行うことができ、さらに蓋体と容器本体との着脱操作が容易に行える。
【００１０】
請求項２の発明は、前記リング状枠部の外周部にリング状枠垂下部が設けられ、該リング状枠垂下部の少なくとも二辺の内面側端部中央付近には嵌合凸条が突設されるとともに、前記嵌合リング状部の外周端部には前記嵌合凸条に係合する嵌合リング状部外端縁を設けたことを特徴とする請求項１記載の合成樹脂製蓋体であって、嵌合リング状部の少なくとも二辺が内側下方に向けてやや回転する様に弾性変形することにより、水平フランジ部の厚み方向の差異を吸収し、水平フランジ部の挟み込みによる蓋体と容器本体とのより強固な嵌合状態を得ることができる。さらに嵌合凸条の係合状態は簡便に解除できるので、蓋体と容器本体との着脱操作が容易である。
【００１１】
【発明の実施の形態】
上記本発明について、図面等を用いて以下に詳述する。
図１は本発明の一実施例の完成状態を示すを示す斜視図。図２は同じく一実施例の蓋体を外した状態を示す斜視図。図３（Ａ）は図１におけるＡ−Ａ´線断面図のうち、容器本体の水平フランジ部の厚みが薄いときの嵌合状態を示す断面図。
図３（Ｂ）は同じく図１におけるＡ−Ａ´線断面図のうち、容器本体の水平フランジ部の厚みが厚いときの嵌合状態を示す断面図。図４（Ａ）は同じく一実施例の蓋体の成型展開平面図。図４（Ｂ）は同じく一実施例の蓋体の成型展開縦方向断面図である。
【００１２】
図１に示すように、本発明に係る蓋体Ｐは、容器本体Ｑの上部に取り付けられて構成される。蓋体Ｐと容器本体Ｑはプラスチック材料により形成されており、例えばポリプロピレン（ＰＰ）、高密度ポリエチレン（ＨＤＰＥ）その他の熱可塑性合成樹脂を、射出成型等の成型方法を用いて形成される。
図４（Ａ）の成型展開平面図並びに図４（Ｂ）縦方向断面図に示すように、本発明の一実施例において蓋体Ｐは、中央部分に開口部を持つ略矩形のリング状枠部４と、その一辺の外側中央部に薄肉の蓋板ヒンジ部２０を介して蓋支持板２１、蓋板２２が連設されるとともに、前記一辺に対向する一辺の外側中央部に薄肉のヒンジ部１３を介して中央部分に開口部を持つ略矩形の嵌合リング状部１４が連設されて形成されるものである。
【００１３】
前記リング状枠部４の中央開口部の両側には、内側に隆起部内壁２８を持ち向かい合う略コ字状の隆起部２４がそれぞれ形成され、該略コ字状の隆起部２４のそれぞれ先端間は、正面から見た奥側は前記蓋支持板２１が通過する部分、正面手前側は開閉のための指掛け開放部２５として開放している。また前記リング状枠部４の外周部はリング状枠垂下部４´が設けられており、該リング状枠垂下部４´の四辺の内面側端部中央付近にはそれぞれ嵌合凸条１２が突設されている。
【００１４】
前記蓋板２２は前記略コ字状の隆起部２４で囲まれた部分に嵌まり込む形状で形成され、その先端部中央に指掛け部２３を突設するとともに、前記蓋板２２の外周部には嵌合垂下部２６を設け、前記蓋板２２の内面中央部には前記蓋体Ｐの中央開口部に内接嵌合する嵌合周壁２７が突設されている。
前記嵌合リング状部１４は内側に嵌合リング状部内壁１６および外周端部に嵌合リング状部外端縁１５を設けてなる。
【００１５】
図２は本発明の一実施例の蓋体を外した状態を示す斜視図で、本発明に係る容器本体Ｑは、成型されたカップ部２の側壁の上端側に水平フランジ部１を設けてなるもので、カップ部２は通常、底部と側壁部を有し上面が開放した形状で、平面形状は矩形又は円形や楕円形等に形成されるが、特に限定されるものではない。水平フランジ部１は通常、容器本体Ｑの上面を密閉するシート、例えば紙又は熱可塑性樹脂フィルム等の単層又は複層からなるシートで、接着或いは熱溶着されて密閉される。図２および図３（Ａ）および（Ｂ）に示すように、接着或いは熱溶着による密閉精度向上と、ピール性（開封時の引き剥がし易さ）の向上のため、水平フランジ部１の上面に細幅の突起部分を周回させてシールリング部３を設けることもできる。
【００１６】
図３（Ａ）は図１におけるＡ−Ａ´線断面図のうち、容器本体Ｑの水平フランジ部１の厚みが薄いときの嵌合状態を示す断面図で、図２で示す蓋体Ｐを外した状態から、容器本体Ｑを底部から嵌合リング状部１４に挿入した後、容器本体Ｑの水平フランジ部１に蓋体Ｐのリング状枠部４を沿わせて載置し、前記嵌合リング状部１４を前記リング状枠部４の底部から、前記水平フランジ部１を挟み込みながら嵌入させ、リング状枠垂下部４´の四辺の内面側端部中央付近に突設された嵌合凸条１２に、前記嵌合リング状部１４の外周端部に設けられた嵌合リング状部外端縁１５が係合されることにより、蓋体Ｐと容器本体Ｑは強固に嵌合されることとなり、図１の斜視図に示すように完成状態となる。
【００１７】
図３（Ｂ）は図１におけるＡ−Ａ´線断面図のうち、容器本体Ｑの水平フランジ部１の厚みが厚いときの嵌合状態を示す断面図で、前項と同様にに嵌合操作を行った場合、図に示すように前記嵌合リング状部１４の四辺は内側下方に向けてやや回転する様に弾性変形して、前記容器本体Ｑの水平フランジ部１を挟み込みながら前記嵌合凸条１２に前記嵌合リング状外端縁１５が係合されることとなる。尚、前記容器本体Ｑの水平フランジ部１を、容器本体Ｑの上面を密閉するシート、例えば紙又は熱可塑性樹脂フィルム等の単層又は複層からなるシートで、接着或いは熱溶着して密閉した場合も、僅かでは有るが水平フランジ部１の厚みが厚くなるので、図３（Ｂ）に示した嵌合状態と略同様になるものである。
【００１８】
従来の技術の項でも述べたように、水平フランジ部１の厚みは成型される熱可塑性樹脂のシート厚によって変化したり、容器本体Ｑの成型深さによりシート厚を変化させて設計する為、例えば同じフランジ部サイズすなわち容器開口部サイズで、容量違いの製品用容器を成型する場合、フランジ部厚みも変化するものである。また、容器本体Ｑの熱可塑性合成樹脂による射出成型において、成型時点での加熱により水平フランジ部１に偏肉や変形が生じた場合にも、厚み方向に差異を生じることとなるが、前述の如く本発明によれば、嵌合リング状部１４の四辺が内側下方に向けてやや回転する様に弾性変形することにより、厚み方向の差異を吸収して水平フランジ部１の挟み込みによる蓋体Ｐと容器本体Ｑとの強固な嵌合状態を得ることができる。
【００１９】
本発明の合成樹脂製蓋体を使用した容器の製造にあたっては、前述のごとく容器本体Ｑに内容物製品を充填或いは収納し、水平フランジ部１を、容器本体Ｑの上面を密閉するシート、例えば紙又は熱可塑性樹脂フィルム等の単層又は複層からなるシートで、接着或いは熱溶着して密閉した後、蓋体Ｐを容器本体Ｑに嵌合させることにより完成し、通常これに熱収縮包装等を施して流通される。使用にあたって、購入した消費者は、熱収縮包装等を取り去り、蓋体Ｐの四辺のリング状枠部垂下部４´をやや外側に向かって拡開する操作を行って、前記リング状枠垂下部４´の内面側端部の嵌合凸条１２に係合している嵌合リング状部外端縁１５の係合状態を解除して容器本体を取り出し、容器本体Ｑの水平フランジ部１を密閉しているシートを引き剥がした後、再び蓋体Ｐと容器本体Ｑを嵌合状態に戻して、以後蓋板２２の開閉による継続的使用に供する。継続使用時の内容物取り出しに関しては、指掛け部２３をつまみ、蓋板２２を引き上げれば中央開口部より、内容物の取り出しが行える。使用後は蓋板２２を押し下げれば、蓋板２２の外側端部に設けた嵌合垂下部２６が隆起部内壁２８に沿いながら閉鎖されると共に、蓋板２２の内面の中央開口部対応部分に突設された嵌合周壁２７が中央開口部周縁端部に設けられた開口縁立起部３０に沿いながら閉鎖され、高い密閉性が保持されるとともに閉止位置が維持される。また蓋板２２の内面に突設された嵌合周壁２７の、上辺中央部分には外向きに蓋係止突起３１が突設され、閉鎖時には開口縁立起部３０の正面向き手前側中央部分に穿設された蓋係止切欠部３２に係止されるので、密閉は確実なものとなる。
【００２０】
また近年、家庭用消耗材製品においては、廃棄物に係る環境問題への対応や、製品のトータルコストの節減という課題から、詰め替え容器タイプの製品が市場化され一般化しているので、本発明の実施においても、前記容器本体Ｑに密閉シートによる密閉を行った状態を詰め替え製品として流通させ、前もって購入して使用した蓋体Ｐを繰り返し使用するという形式が可能である。さらに前述の如く例えば容量違いの詰め替え製品を用いても、本発明の合成樹脂製蓋体では、フランジの厚みに対応して容器本体を取り付けることができる。しかも本発明で使用される容器本体Ｑは、特別な形態や加工を必要としない一般的なフランジ付きトレー或いはカップ形式であるので、詰め替え製品の生産効率を損なうことが無い。
【００２１】
【発明の効果】
以上のように本発明の合成樹脂製蓋体は、蓋体に設けたリング状枠部と嵌合リング状部との嵌合によって容器本体の水平フランジ部を挟み込むという構成において、嵌合リング状部の四辺が弾性変形することにより、容器本体の水平フランジ部の厚みが変化したり、変形することに対応して、蓋体と容器本体の嵌合合体を行うことが出来るものであり、フランジ部を全周嵌合するという従来技術におけるフランジ部厚みの変化・変形による嵌合部分の緩み発生という欠点を解消するものであり、フランジ部シールの除去による僅かな厚みの変化にも対応できる点で優れている。
【００２２】
フランジ部の厚みが変化しても良好な嵌合性が得られるため、同一商品において容量別の対応製品が多種類となって、容器本体の種類も多種類となっても、フランジ部すなわち上部開口部分が一定であれば、蓋体は共用できることとなり、大量生産による生産コスト減少の効果が得られ、しかも詰め替え製品の場合は、容量別に多種となっても、蓋体は繰り返し使用できるので、消費者の利便性も高く、廃棄物を減少することが出来る点で環境的にも効果が期待できる。
【００２３】
また、フランジ部の挟み込みによる嵌合操作は、嵌合凸条と嵌合リング状部外端縁の係合により簡便に行えるので、従来技術におけるフランジ部全体の蓋体への嵌合の難しさを解消するものであり、開封操作時或いは詰め替え容器装着操作時の操作容易性に効果がある。
【図面の簡単な説明】
【図１】本発明の一実施例の完成状態を示すを示す斜視図。
【図２】同じく一実施例の蓋体を外した状態を示す斜視図。
【図３】（Ａ）  図１におけるＡ−Ａ´線断面図のうち、容器本体の水平フランジ部の厚みが薄いときの嵌合状態を示す断面図。
（Ｂ）  同じく図１におけるＡ−Ａ´線断面図のうち、容器本体の水平フランジ部の厚みが厚いときの嵌合状態を示す断面図。
【図４】（Ａ）同じく一実施例の蓋体の成型展開平面図
（Ｂ）同じく一実施例の蓋体の成型展開縦方向断面図。
【符号の説明】
Ｐ                          蓋体
Ｑ                          容器本体
１                          水平フランジ部
２                          カップ部
３                          シールリング部
４                          リング状枠部
４´                        リング状枠垂下部
１２                        嵌合凸条
１３                        ヒンジ部
１４                        嵌合リング状部
１５                        嵌合リング状部外端縁
１６                        嵌合リング状部内壁
２０                        蓋板ヒンジ部
２１                        蓋支持板
２２                        蓋板
２３                        指掛け部
２４                        隆起部
２５                        指掛け開放部
２６                        嵌合垂下部
２７                        嵌合周壁
２８                        隆起部内壁
２９                        開口縁
３０                        開口縁立起部
３１                        蓋係止突起
３２                        蓋係止切欠部
【図１】
2004244066.tif 000003
【図２】
2004244066.tif 000004
【図３】
2004244066.tif 000005
【図４】
2004244066.tif 000006